(57)【要約】【課題】ミシンの操作に熟練していない初心者であっても、容易に操作することができ、縫製の失敗を防止することができるとともに、ミシンの操作に慣れている操作者にとっても円滑に操作する。【解決手段】  スライドボリューム９から入力された縫製速度に関するデータにしたがって縫製の制御が行われる通常モードと、縫製可能な最高速度がスライドボリューム９によって調整可能な速度範囲内における最高速度よりも遅い速度に制限されている初心者モードとに縫製モードを切り替えて設定可能な切替スイッチ２５を有し、制御手段１８は、切替スイッチ２５によって縫製モードが初心者モードに設定されている場合、制限最高速度よりも速い縫製速度に関するデータをスライドボリューム９から入力したときには、制限最高速度により縫製動作の制御を行う。【選択図】      図６
2009142379.tif 000002
【特許請求の範囲】
【請求項１】
縫製開始の指示を出力する操作手段と、所定の速度範囲内において縫製速度を調整可能な速度調整手段と、前記速度調整手段から入力したデータに基づく縫製速度によって縫製動作の制御を行う制御手段とを有するミシンにおいて、
前記速度調整手段から入力された縫製速度に関するデータにしたがって縫製の制御が行われる通常モードと、縫製可能な最高速度が前記速度範囲内における最高速度よりも遅い速度に制限されている初心者モードとに縫製モードを切り替えて設定可能な切替手段を有し、
前記制御手段は、前記切替手段によって前記縫製モードが前記初心者モードに設定されている場合に、制限された縫製の最高速度である制限最高速度よりも速い縫製速度に関するデータを前記速度調整手段から入力したときには、前記制限最高速度により縫製動作の制御を行うことを特徴とするミシン。
【請求項２】
前記制御手段は、前記縫製モードが前記通常モードの場合には、前記操作手段が操作されると、前記操作手段から縫製開始の指示を入力したことを認識し、前記縫製モードが初心者モードの場合には、前記操作手段の操作が開始されてから所定時間、前記操作手段の操作が継続されると、前記操作手段から縫製開始の指示を入力したことを認識することを特徴とする請求項１に記載のミシン。
【請求項３】
前記制御手段は、前記縫製モードが前記通常モードの場合には、前記操作手段から縫製開始の指示を入力したことを認識すると、縫製動作の制御を開始し、前記縫製モードが前記初心者モードの場合には、縫製開始の指示を入力するための前記操作手段の操作が終了してから所定時間を経過した後、縫製動作の制御を開始することを特徴とする請求項１または請求項２に記載のミシン。
【発明の詳細な説明】
【技術分野】
【０００１】
本発明はミシンに係り、特に縫製速度を調整可能な速度調整手段を備えたミシンに関する。
【背景技術】
【０００２】
従来より、ミシン主軸を駆動する主軸駆動手段の駆動速度を調整することにより縫製速度を調整することが可能なスライドボリューム等の速度調整手段が設けられたミシンが、縫製速度を容易に調整することができ、ミシンの操作者に適した縫製速度によって縫製を行うことができる等の観点から利用されている。
【０００３】
従来のミシンには、例えば、アーム部における操作者が操作する側の正面に、主軸駆動手段としての主軸モータの駆動速度を調整することによりミシン主軸の駆動速度を調整するためのスライドボリュームが設けられている。このスライドボリュームは、移動可能な操作部を備えており、操作部の位置に応じてミシン主軸を駆動する主軸モータの駆動速度を調整するようになっている（例えば、特許文献１参照）。
【０００４】
ミシン主軸には、下端部に縫い針が装着されている針棒が連結されており、針棒はミシン主軸の駆動によって上下動するようになっている。そして、このミシンは、スライドボリュームによって主軸モータを介してミシン主軸の駆動速度を調整して針棒の上下動の速度を調整するようになっており、これにより、縫製速度を調整することができるようになっている。
【０００５】
また、前述のミシンには、縫製の開始および停止の指示を入力するための操作手段として縫製動作スイッチと、ミシンが縫製動作中であることを報知する報知手段として報知ランプと、他の報知手段として報知ブザーとが設けられている。さらに、このミシンは、縫製動作スイッチや操作調整手段等から各指示を入力し、入力した指示にしたがって、主軸モータや報知ランプ、報知ブザー等のミシンの各部の動作を制御する制御手段を有している。
【０００６】
図１０は、従来のミシンの一例における縫製動作スイッチを操作した場合を示すタイミングチャートであり、図１０に示すように、このようなミシンは、縫製動作が行われていない状態において縫製動作スイッチが押圧操作されると、制御手段は、起動開始の指示が入力されたことを認識し、スライドボリュームから入力した主軸モータの駆動速度にしたがって主軸モータの駆動を開始し、ミシン主軸を介して針棒を上下動させることにより縫製を開始する。これとともに、制御手段は、報知ランプによって縫製動作中である旨の表示を行い、報知ブザーによって縫製開始を報知する。また、このミシンは、縫製動作が行われている状態において縫製動作スイッチが押圧されると、制御手段は、縫製停止の指示が入力されたことを認識し、主軸モータの駆動を停止することによって縫製動作を停止する。これとともに、報知ランプによって縫製動作が停止中である旨の表示を行う。
【０００７】
【特許文献１】特開２００１−０９６０８８号公報
【発明の開示】
【発明が解決しようとする課題】
【０００８】
しかし、前述のような従来のミシンによれば、例えば、ミシンの操作に熟練していない初心者が縫製を行う場合、スライドボリュームによって縫製速度を調整して縫製を開始しても、意図した縫製速度より高速な縫製速度によって縫製動作が開始してしまうことがあり、このような場合には、縫製を失敗してしまうおそれがあるという問題を有していた。
【０００９】
本発明はこれらの点に鑑みてなされたものであり、ミシンの操作に熟練していない初心者であっても、容易に操作することができ、縫製の失敗を防止することができるとともに、ミシンの操作に慣れている操作者にとっても円滑に操作することが可能なミシンを提供することを目的とする。
【課題を解決するための手段】
【００１０】
前記目的を達成するため、請求項１に記載の発明に係るミシンの特徴は、縫製開始の指示を出力する操作手段と、所定の速度範囲内において縫製速度を調整可能な速度調整手段と、前記速度調整手段から入力したデータに基づく縫製速度によって縫製動作の制御を行う制御手段とを有するミシンにおいて、前記速度調整手段から入力された縫製速度に関するデータにしたがって縫製の制御が行われる通常モードと、縫製可能な最高速度が前記速度範囲内における最高速度よりも遅い速度に制限されている初心者モードとに縫製モードを切り替えて設定可能な切替手段を有し、前記制御手段は、前記切替手段によって前記縫製モードが前記初心者モードに設定されている場合に、制限された縫製の最高速度である制限最高速度よりも速い縫製速度に関するデータを前記速度調整手段から入力したときには、前記制限最高速度により縫製動作の制御を行う点にある。
【００１１】
この請求項１に記載の発明によれば、縫製するにあたり、縫製モードを通常モードの他、初心者モードに切り替えることが可能である。そして、初心者モードによって縫製する場合には、縫製の最高速度が速度調整手段によって駆動可能な速度範囲内における最高速度よりも遅い速度である制限最高速度により縫製動作の制御を行うので、操作者がミシンの操作に熟練していない初心者の場合に、意図せず速度調整手段において速い速度を設定してしまった場合であっても、制限最高速度以下の速度で縫製を行うことができる。
【００１２】
また、請求項２に記載の発明に係るミシンの特徴は、請求項１に記載のミシンにおいて、前記制御手段は、前記縫製モードが前記通常モードの場合には、前記操作手段が操作されると、前記操作手段から縫製開始の指示を入力したことを認識し、前記縫製モードが初心者モードの場合には、前記操作手段の操作が開始されてから所定時間、前記操作手段の操作が継続されると、前記操作手段から縫製開始の指示を入力したことを認識する点にある。
【００１３】
この請求項２に記載の発明によれば、制御手段は、縫製モードが初心者モードの場合には、操作手段の操作が開始されてから所定時間、この操作が継続されると、操作手段から縫製開始の指示を入力したことを認識する。このため、制御手段は、所定時間操作手段の操作が継続された後、縫製開始の指示が入力されたと認識して縫製動作を開始するので、誤って操作手段を押圧してしまった場合に、誤動作してしまうことを防止することができ、誤動作によって意図しないものを縫ってしまうことを防止することができる。また、ミシンの操作に慣れた操作者の場合には、縫製モードを通常モードに切り替えて縫製を行うことにより、操作手段から縫製開始の操作が開始されるとすぐに操作開始の指示を入力したことを認識するので、円滑な縫製を行うことができる。
【００１４】
さらに、請求項３に記載の発明に係るミシンの特徴は、請求項１または請求項２に記載のミシンにおいて、前記制御手段は、前記縫製モードが前記通常モードの場合には、前記操作手段から縫製開始の指示を入力したことを認識すると、縫製動作の制御を開始し、前記縫製モードが前記初心者モードの場合には、縫製開始の指示を入力するための前記操作手段の操作が終了してから所定時間を経過した後、縫製動作の制御を開始する点にある。
【００１５】
この請求項３に記載の発明によれば、制御手段は、縫製モードが通常モードの場合には、操作手段から縫製開始の指示を入力したことを認識すると、縫製動作の制御を開始し、縫製モードが初心者モードの場合には、縫製開始の指示を入力するための操作手段の操作が終了してから所定の待機時間経過した後、縫製動作の制御を行う。このため、初心者であっても、操作を終了して操作手段から手を離してから所定の待機時間の間に縫製物を手で押さえることができるので、確実に縫製物が手で押さえられてから縫製動作を開始することができる。また、間違えて縫製動作を開始させてしまった場合であっても待機時間中に縫い針の近傍から手を退避させることにより、誤って手を縫ってしまう事故を低減させることができる。さらに、ミシンの操作に慣れた操作者の場合には、縫製モードを通常モードに切り替えて縫製を行うことにより、待機時間がない円滑な縫製を行うことができる。
【発明の効果】
【００１６】
以上述べたように、本発明に係るミシンによれば、縫製モードを初心者モードに設定することにより、初心者であっても、容易に操作することができ、意図せず速度調整手段において速い速度を設定してしまった場合における縫製の失敗を確実に防止することが可能となる。これにより、本発明に係るミシンによれば、初心者であっても、容易に操作することができ、縫製の失敗を防止することができるとともに、ミシンの操作に慣れている操作者にとっては、縫製モードを通常モードに切り替えることにより、円滑に操作することができる。
【発明を実施するための最良の形態】
【００１７】
以下、本発明に係るミシンの一実施形態を図１から図９を参照して説明する。
【００１８】
図１は、本実施形態に係るミシンを示す概略正面図であり、図２は、図１におけるミシンの構成図である。
【００１９】
図１に示すように、本実施形態に係るミシン１におけるアーム部２の内部には、下端部に縫い針３が装着された針棒５が配設されており、針棒５は、回転可能に設けられたミシン主軸６に連結されている。ミシン主軸６は、主軸駆動手段としての主軸モータ７の駆動により回転するようになっており、そして、針棒５は主軸モータ７の駆動によるミシン主軸６の回転により、上下動するようになっている。
【００２０】
ミシン１のアーム部２における操作者が操作する側の正面には、主軸モータ７の駆動速度を調整することにより、縫製速度を調整するための速度調整手段として、可変抵抗器からなるスライドボリューム９が配設されている。スライドボリューム９は、所定の幅の範囲内において左右方向に可動な操作部９ａを備えており、操作部９ａの位置に応じて抵抗値が変化するようになっている。そして、ミシン１は、スライドボリューム９における操作部９ａの位置に応じた抵抗値によって主軸モータ７の駆動速度を変更させることにより主軸モータ７の駆動速度を調整して所定の速度範囲内において縫製速度を調整するようになっている。
【００２１】
アーム部２の正面には、縫製開始の指示を出力する操作手段としてシングルアクションスイッチからなる縫製動作スイッチ１１が配設されており、本実施形態における縫製動作スイッチ１１は、縫製動作の開始および停止の指示を出力するようになっている。本実施形態におけるミシン１においては、縫製動作が行われていない状態で縫製動作スイッチ１１がミシン１の操作者によって押圧操作されると、主軸モータ７が駆動して縫製動作が開始するようになっており、縫製動作が行われている状態で縫製動作スイッチ１１が操作者によって押圧操作されると、主軸モータ７の駆動が停止して縫製動作が停止するようになっている。
【００２２】
アーム部２の正面には、ミシン１が縫製動作中であることを報知する報知手段として報知ランプ１３が設けられており、本実施形態において報知ランプ１３は、縫製動作中に赤色に点灯し、縫製動作の停止中に緑色に点灯するようになっている。さらに、ミシン１は、ミシン１の縫製動作が開始することを報知する報知手段として報知ブザー１５が設けられており、アーム部２の正面には、報知ブザー１５のスピーカ１５ａが配設されている。そして、報知ブザー１５は、縫製動作の開始時に所定時間、鳴るようになっている。
【００２３】
また、ミシン１には、ミシン１に対して電力の供給を開始および終了するための起動スイッチ１６が設けられており、ミシン１は、電力が供給されていない状態において起動スイッチ１６が押圧操作されると電力の供給が開始され、電力が供給されている状態において起動スイッチ１６が押圧操作されると電力の供給が終了されるようになっている。
【００２４】
さらに、ミシン１は、ミシン１の各部の動作を制御する制御手段１８を備えており、制御手段１８は、縫製動作スイッチ１１やスライドボリューム９等から制御手段１８への指示の入力、および制御手段１８から主軸モータ７や報知ランプ１３、報知ブザー１５等への指示の出力を仲介する入出力インターフェース１９等を備えている。さらにまた、制御手段１８は、ミシン１の各部の動作を制御するＣＰＵ２０、スライドボリューム９から入力した抵抗値データに対応する主軸モータ７の駆動速度データ等が記憶されたＥＥＰＲＯＭ、ＥＰＲＯＭ等からなるメモリ２１、縫製プログラム等を格納したＲＯＭ２２、および作業領域を提供するＲＡＭ２３等から構成されている。
【００２５】
制御手段１８は、図３に示すように、縫製モードとして縫製モードとしてスライドボリューム９から入力された抵抗値にしたがって縫製の制御が行われる通常モードと、縫製最高速度が前記速度範囲内における最高速度よりも遅い速度に制限されている初心者モードの２種類の縫製モードを切り替えて縫製することができるようになっている。メモリ２１には、初心者モードにおける制限された縫製最高速度である制限最高速度が記憶されている。アーム部２の正面には、通常モードと初心者モードとを切り替えて設定する切替手段としての切替スイッチ２５が配設されている。そして、切替スイッチ２５は、いずれの縫製モードが設定されているかを示す縫製モードデータを制御手段１８に出力するようになっている。
【００２６】
制御手段１８は、切替スイッチ２５から入力した縫製モードデータに基づき、通常モードによって縫製を行う場合、速度調整手段から入力した抵抗値に対応する駆動速度によって縫製の制御を行うようになっている。また、制御手段１８は、初心者モードによって縫製を行う場合であって前記制限最高速度よりも速い速度を示す抵抗値をスライドボリューム９から入力したときには、前記制限最高速度によって縫製動作の制御を行うようになっている。一方、制御手段１８は、初心者モードによって縫製を行う場合であって前記制限最高速度以下の速度を示す抵抗値をスライドボリューム９から入力したときには、スライドボリューム９から入力した抵抗値に対応する駆動速度によって縫製の制御を行うようになっている。
【００２７】
また、ミシン１が停止状態の際の縫製動作スイッチ１１の押圧操作について、制御手段１８は、縫製モードが通常モードの場合、図４に示すように、縫製動作スイッチ１１の操作が開始されると、縫製動作スイッチ１１から開始の指示を入力したことを認識するようになっている。一方、制御手段１８は、縫製モードが初心者モードの場合、図５に示すように、縫製動作スイッチ１１の押圧操作が開始されてから所定の押圧時間（本実施形態においては０．２秒以上）縫製動作スイッチ１１の操作が継続されると、縫製動作スイッチ１１から開始の指示を入力したことを認識するようになっている。
【００２８】
さらに、制御手段１８は、縫製モードが通常モードの場合には、縫製動作スイッチ１１から縫製開始の指示を入力したことを認識すると、縫製動作の制御を開始するようになっている。一方、制御手段１８は、縫製モードが初心者モードの場合には、縫製開始の指示を入力するための縫製動作スイッチ１１の押圧操作が終了してから所定の待機時間（本実施形態においては２秒間）を経過した後、縫製動作の制御を開始するようになっている。
【００２９】
次に、本実施形態の作用について、図６を参照して説明する。
【００３０】
まず、図６に示すように、ミシン１に対して電力が供給されていない状態において操作者により起動スイッチ１６が押圧操作されると、制御手段１８は、報知ランプ１３を緑色に点灯させてミシン１が縫製動作の待機状態であることを表示する（ＳＴ１）。
【００３１】
続いて、制御手段１８は、切替スイッチ２５から縫製モードデータを入力し、縫製モードが通常モードであるか否かを判別する（ＳＴ２）。ここで、制御手段１８は、縫製モードが通常モードではないと判断した場合には（ＳＴ２においてＮｏ）、初心者モードであると判断し、次に、縫製動作スイッチ１１が押圧されたか否かを判別する（ＳＴ３）。ここで、制御手段１８は、縫製動作スイッチ１１が押圧されたと判断した場合には（ＳＴ３においてＹｅｓ）、押圧操作の開始からの押圧時間を計測し、押圧時間が０．２秒経過したか否かを判別する（ＳＴ４）。そして、制御手段１８は、押圧時間が０．２秒以上経過したと判断した場合には（ＳＴ４においてＹｅｓ）、縫製動作スイッチ１１から縫製開始の指示が入力されたことを認識して、報知ランプ１３を赤色に点灯させるとともに（ＳＴ５）、報知ブザー１５を１秒間鳴らす（ＳＴ６）。
【００３２】
一方、制御手段１８は、縫製動作スイッチ１１が押圧されたか否かを判別し（ＳＴ３）、まだ押圧されていないと判断した場合には（ＳＴ３においてＮｏ）、再度縫製モードが通常モードであるか否かを判別する（ＳＴ２）。また、制御手段１８は、押圧時間が０．２秒経過したか否かを判別し（ＳＴ４）、押圧時間が０．２秒経過する前に縫製動作スイッチ１１の押圧操作が終了したと判断した場合にも（ＳＴ４においてＮｏ）、再度縫製モードが通常モードであるか否かを判別する（ＳＴ２）。
【００３３】
続いて、縫製動作スイッチ１１から縫製開始の指示が入力されたことを認識して、報知ランプ１３を赤色に点灯させるとともに（ＳＴ５）、報知ブザー１５を１秒間鳴らした（ＳＴ６）後、制御手段１８は、縫製動作スイッチ１１の押圧操作が終了したか否かを判別する（ＳＴ７）。そして、制御手段１８は、縫製動作スイッチ１１の押圧操作が終了していないと判断した場合には（ＳＴ７においてＮｏ）、再度縫製動作スイッチ１１の押圧操作が終了したか否かを判別する（ＳＴ７）。一方、制御手段１８は、縫製動作スイッチ１１の押圧操作が終了したと判断した場合には（ＳＴ７においてＹｅｓ）、押圧操作が終了してからの待機時間を計測し、待機時間が２秒経過したか否かを判別する（ＳＴ８）。
【００３４】
ここで、制御手段１８は、待機時間が２秒経過していないと判断した場合、すなわち待機時間が２秒経過する前に（ＳＴ８においてＮｏ）、待機時間中に縫製動作スイッチ１１が押圧操作されたか否かを判別し（ＳＴ９）、押圧操作されていないと判断した場合には（ＳＴ９においてＮｏ）、継続して待機時間を計測し、待機時間が２秒経過したか否かを判別する（ＳＴ８）。一方、制御手段１８は、待機時間中に縫製動作スイッチ１１が押圧操作されたと判断した場合には（ＳＴ９においてＹｅｓ）、縫製動作を開始することなく、報知ランプ１３を緑色に点灯させてミシン１が縫製動作の待機状態であることを表示する（ＳＴ１）。
【００３５】
次に、待機時間が２秒経過したと判断した場合（ＳＴ８においてＹｅｓ）、制御手段１８は、スライドボリューム９から操作部９ａの位置に対応する抵抗値を入力し（ＳＴ１０）、入力した抵抗値に対応する駆動速度が制限最高速度よりも速い速度か否かを判別する（ＳＴ１１）。そして、制御手段１８は、入力した抵抗値に対応する駆動速度が、制限最高速度よりも速い速度であると判断した場合には（ＳＴ１１においてＹｅｓ）、主軸モータ７の駆動を開始し、制限最高速度によって縫製動作の制御を行い（ＳＴ１２）、一方、制限最高速度よりも速い速度ではないと判断した場合には（ＳＴ１１においてＮｏ）、主軸モータ７の駆動を開始し、スライドボリューム９から入力した抵抗値に対応する駆動速度によって縫製の制御を行う（ＳＴ１３）。この縫製動作中に、制御手段１８は、縫製動作スイッチ１１が押圧操作されたか否かを判別し（ＳＴ１４）、押圧操作されていないと判断した場合には（ＳＴ１４においてＮｏ）、継続してスライドボリューム９から操作部９ａの位置に対応する抵抗値を入力し（ＳＴ１０）、前記抵抗値に対応する駆動層度が制限速度よりも速い速度であるか否かを判別し（ＳＴ１１）、縫製動作の制御を行う（ＳＴ１２、ＳＴ１３）。一方、この縫製動作中に、制御手段１８は、縫製動作スイッチ１１が押圧操作されたと判断した場合には（ＳＴ１４においてＹｅｓ）、すぐに縫製動作の制御を停止し、報知ランプ１３を緑色に点灯させてミシン１が縫製動作の待機状態であることを表示する（ＳＴ１）。
【００３６】
一方、制御手段１８は、切替スイッチ２５から縫製モードデータを入力して縫製モードが通常モードであるか否かを判別し（ＳＴ２）、縫製モードが通常モードであると判断した場合には（ＳＴ２においてＹｅｓ）、縫製動作スイッチ１１が押圧されたか否かを判別する（ＳＴ１５）。ここで、制御手段１８は、縫製動作スイッチ１１が押圧されたと判断した場合には（ＳＴ１５においてＹｅｓ）、縫製動作スイッチ１１から縫製開始の指示が入力されたことを認識して、すぐに報知ランプ１３を赤色に点灯させるとともに（ＳＴ１６）、報知ブザー１５を１秒間鳴らす（ＳＴ１７）。そして、制御手段１８は、スライドボリューム９から操作部９ａの位置に対応する抵抗値を入力し、主軸モータ７の駆動を開始して、スライドボリューム９から入力した抵抗値に対応する駆動速度によって縫製の制御を行う（ＳＴ１８）。
【００３７】
この縫製動作中に、制御手段１８は、縫製動作スイッチ１１が押圧操作されたか否かを判別し（ＳＴ１９）、押圧操作されていないと判断した場合には（ＳＴ１９においてＮｏ）、継続してスライドボリューム９から操作部９ａの位置に対応する抵抗値を入力し、入力した抵抗値に対応する駆動速度によって縫製動作の制御を行う（ＳＴ１８）。一方、この縫製動作中に、制御手段１８は、縫製動作スイッチ１１が押圧操作されたと判断した場合には（ＳＴ１９においてＹｅｓ）、すぐに縫製動作の制御を停止し、報知ランプ１３を緑色に点灯させてミシン１が縫製動作の待機状態であることを表示する（ＳＴ１）。
【００３８】
一方、制御手段１８は、縫製モードが通常モードであると判断した後（ＳＴ２においてＹｅｓ）、縫製動作スイッチ１１が押圧されたか否かを判別し（ＳＴ１５）、まだ押圧操作されていないと判断した場合には（ＳＴ１５においてＮｏ）、再度縫製モードが通常モードであるか否かを判別する（ＳＴ２）。
【００３９】
また、制御手段１８は、このＳＴ１からＳＴ１９のステップ中に起動スイッチ１６が押圧操作されたか否かを監視し、押圧操作されたと判断した場合には、ミシン１への電力の供給が停止される。
【００４０】
本実施形態によれば、縫製するにあたり、縫製モードを通常モードの他、初心者モードに切り替えることが可能である。そして、初心者モードによって縫製する場合には、縫製の最高速度がスライドボリューム９によって駆動可能な速度範囲内における最高速度よりも遅い速度である制限最高速度により縫製動作の制御を行うので、操作者がミシン１の操作に熟練していない初心者の場合に、意図せずスライドボリューム９において速い速度を設定してしまった場合であっても、制限最高速度以下の速度で縫製を行うことができる。
【００４１】
したがって、縫製モードを初心者モードに設定することにより、初心者であっても、容易に操作することができ、意図せずスライドボリューム９において速い速度を設定してしまった場合における縫製の失敗を確実に防止することが可能となる。これにより、本実施形態に係るミシン１によれば、初心者であっても、容易に操作することができ縫製の失敗を防止することができるとともに、ミシン１の操作に慣れている操作者にとっても円滑に操作することができる。
【００４２】
また、制御手段１８は、縫製モードが初心者モードの場合には、縫製動作スイッチ１１の操作が開始されてから０．２秒以上、縫製動作スイッチ１１の押圧操作が継続されると、縫製動作スイッチ１１から縫製開始の指示を入力したことを認識し、報知ランプ１３および報知ブザー１５により縫製動作が開始されることを報知する。ここで、無意識に縫製動作スイッチ１１等のスイッチを操作してしまう場合の操作時間は、約０．０５秒〜０．１秒であるのに対し、意識的に縫製動作スイッチ１１等のスイッチを操作した場合の操作時間は約０．２秒〜０．３秒であることがわかっている。このため、制御手段１８は、０．２秒以上縫製動作スイッチ１１の押圧操作が継続された後、縫製動作を開始することにより、誤って縫製動作スイッチ１１を押圧してしまった場合に、誤動作してしまうことを防止することができ、誤動作によって意図しないものを縫ってしまうことを防止することができる。また、ミシン１の操作に慣れた操作者の場合には、縫製モードを通常モードに切り替えて縫製を行うことにより、前記押圧時間がない円滑な縫製を行うことができる。
【００４３】
さらに、制御手段１８は、縫製モードが通常モードの場合には、縫製動作スイッチ１１から縫製開始の指示を入力したことを認識すると、縫製動作の制御を開始し、縫製モードが初心者モードの場合には、縫製開始の指示を入力するための縫製動作スイッチ１１の操作が終了してから待機時間として２秒経過した後、主軸モータ７の駆動を開始して縫製動作の制御を行う。このため、初心者であっても、押圧操作を終了して縫製動作スイッチ１１から手を離してから前記待機時間の間に縫製物を手で押さえることができるので、確実に縫製物が手で押さえられてから縫製動作を開始することができる。また、間違えて縫製動作を開始させてしまった場合であっても待機時間中に縫い針３の近傍から手を退避させることにより、誤って手を縫ってしまう事故を低減させることができる。さらに、ミシン１の操作に慣れた操作者の場合には、縫製モードを通常モードに切り替えて縫製を行うことにより、前記待機時間がない円滑な縫製を行うことができる。
【００４４】
続いて、本発明の第２の実施形態について図７から図９を参照して説明する。ここで、第２の実施形態において、第１の実施形態に係るミシン１の構成と同一の構成については、同一の符号を用い、詳説を省略する。
【００４５】
アーム部２の正面には、縫製開始の指示を出力する操作手段としてダブルアクションスイッチからなる縫製動作スイッチ１１が配設されており、縫製動作スイッチ１１は、縫製動作の開始および停止の指示を出力するようになっている。また、本実施形態において、縫製動作スイッチ１１は、縫製モードの通常モードと初心者モードとを切り替える切替手段としての切替スイッチ２５としても作用するようになっている。
【００４６】
本実施形態におけるミシン１の制御手段１８は、図７に示すように、縫製動作が行われていない状態で、縫製動作スイッチ１１がミシン１の操作者によって縫製動作スイッチ１１の１段目が押圧操作され、縫製動作スイッチ１１の１段目の押圧操作の開始から所定の押圧時間（本実施形態においては０．２秒以上）１段目の操作が継続されると、縫製モードとして初心者モードに切り替えるようになっている。これとともに、制御手段１８は、縫製動作スイッチ１１から開始の指示を入力したことを認識するようになっている。そして、制御手段１８は、制限最高速度よりも速い速度を示す抵抗値をスライドボリューム９から入力したときには、制限最高速度によって縫製動作の制御を行い、制限最高速度以下の速度を示す抵抗値をスライドボリューム９から入力したときには、スライドボリューム９から入力した抵抗値に対応する駆動速度によって縫製の制御を行うようになっている。
【００４７】
一方、制御手段１８は、図８に示すように、前記押圧時間が０．２秒未満で縫製動作スイッチ１１の２段目が押圧操作されると、縫製モードとして通常モードに切り替えるとともに、縫製動作スイッチ１１から開始の指示を入力したことを認識するようになっている。そして、制御手段１８は、速度調整手段から入力した抵抗値に対応する駆動速度によって縫製の制御を行うようになっている。
【００４８】
また、縫製動作が行われている状態で縫製動作スイッチ１１の１段目が操作者によって押圧操作されると、主軸モータ７の駆動が停止して縫製動作が停止するようになっている。
【００４９】
さらに、制御手段１８は、縫製モードが初心者モードの場合には、縫製開始の指示を入力するための縫製動作スイッチ１１の１段目の０．２秒以上の押圧操作が終了してから所定の待機時間（本実施形態においては２秒間）を経過した後、縫製動作の制御を開始するようになっている。一方、制御手段１８は、縫製モードが通常モードの場合には、縫製動作スイッチ１１の２段目が押圧操作されて縫製動作スイッチ１１から縫製開始の指示を入力したことを認識すると、縫製動作の制御を開始するようになっている。
【００５０】
次に、本実施形態の作用について、図９を参照して説明する。
【００５１】
まず、図９に示すように、ミシン１に対して電力が供給されていない状態において操作者により起動スイッチ１６が押圧操作されると、制御手段１８は、報知ランプ１３を緑色に点灯させてミシン１が縫製動作の待機状態であることを表示する（ＳＴ２１）。
【００５２】
続いて、制御手段１８は、縫製動作スイッチ１１の１段目が押圧操作されたか否かを判別し（ＳＴ２２）、１段目が押圧操作されていないと判断した場合には（ＳＴ２２においてＮｏ）、縫製動作スイッチ１１の１段目が押圧操作されたか否かの判別を繰り返す（ＳＴ２２）。一方、制御手段１８は、１段目が押圧操作されたと判断した場合には（ＳＴ２２においてＹｅｓ）、１段目の押圧操作の押圧時間が０．２秒以上であるか否かを判別する（ＳＴ２３）。
【００５３】
ここで、制御手段１８は、縫製動作スイッチ１１の１段目の押圧操作の押圧時間が０．２秒以上であると判断した場合には（ＳＴ２３においてＹｅｓ）、縫製モードが初心者モードであると認識するとともに、縫製動作スイッチ１１から縫製開始の指示が入力されたことを認識して、報知ランプ１３を赤色に点灯させるとともに（ＳＴ２４）、報知ブザー１５を１秒間鳴らす（ＳＴ２５）。
【００５４】
続いて、制御手段１８は、縫製動作スイッチ１１の押圧操作が終了したか否かを判別し（ＳＴ２６）、縫製動作スイッチ１１の押圧操作が終了していないと判断した場合には（ＳＴ２６においてＮｏ）、再度縫製動作スイッチ１１の押圧操作が終了したか否かを判別する（ＳＴ２６）。一方、制御手段１８は、縫製動作スイッチ１１の押圧操作が終了したと判断した場合には（ＳＴ２６においてＹｅｓ）、押圧操作が終了してからの待機時間を計測し、待機時間が２秒経過したか否かを判別する（ＳＴ２７）。
【００５５】
ここで、制御手段１８は、待機時間が２秒経過していないと判断した場合、すなわち待機時間が２秒経過する前に（ＳＴ２７においてＮｏ）、待機時間中に縫製動作スイッチ１１の１段目が押圧操作されたか否かを判別し（ＳＴ２８）、押圧操作されていないと判断した場合には（ＳＴ２８においてＮｏ）、継続して待機時間を計測し、待機時間が２秒経過したか否かを判別する（ＳＴ８）。一方、制御手段１８は、待機時間中に縫製動作スイッチ１１の１段目が押圧操作されたと判断した場合には（ＳＴ２８においてＹｅｓ）、縫製動作を開始することなく、報知ランプ１３を緑色に点灯させて、ミシン１が縫製動作の待機状態であることを表示する（ＳＴ２１）。
【００５６】
次に、待機時間が２秒経過したと判断した場合（ＳＴ２７においてＹｅｓ）、制御手段１８は、スライドボリューム９から操作部９ａの位置に対応する抵抗値を入力し（ＳＴ２９）、入力した抵抗値に対応する駆動速度が制限最高速度よりも速い速度か否かを判別する（ＳＴ３０）。そして、制御手段１８は、入力した抵抗値に対応する駆動速度が、制限最高速度よりも速い速度であると判断した場合には（ＳＴ３０においてＹｅｓ）、主軸モータ７の駆動を開始し、制限最高速度によって縫製動作の制御を行い（ＳＴ３１）、一方、制限最高速度よりも速い速度ではないと判断した場合には（ＳＴ３０においてＮｏ）、主軸モータ７の駆動を開始し、スライドボリューム９から入力した抵抗値に対応する駆動速度によって縫製の制御を行う（ＳＴ３２）。この縫製動作中に、制御手段１８は、縫製動作スイッチ１１が押圧操作されたか否かを判別し（ＳＴ３３）、押圧操作されていないと判断した場合には（ＳＴ３３においてＮｏ）、継続してスライドボリューム９から操作部９ａの位置に対応する抵抗値を入力し（ＳＴ２９）、前記抵抗値に対応する駆動層度が制限速度よりも速い速度であるか否かを判別し（ＳＴ３０）、縫製動作の制御を行う（ＳＴ３１、ＳＴ３２）。一方、この縫製動作中に、制御手段１８は、縫製動作スイッチ１１が押圧操作されたと判断した場合には（ＳＴ３３においてＹｅｓ）、すぐに縫製動作の制御を停止し、報知ランプ１３を緑色に点灯させてミシン１が縫製動作の待機状態であることを表示する（ＳＴ２１）。
【００５７】
一方、制御手段１８は、縫製動作スイッチ１１の１段目の押圧操作の押圧時間が０．２秒以上ではないと判断した場合には（ＳＴ２３においてＮｏ）、縫製動作スイッチ１１の２段目が押圧操作されたか否かを判別する（ＳＴ３４）。そして、制御手段１８は、押圧操作されたと判断した場合には（ＳＴ３４においてＹｅｓ）、縫製モードが通常モードであると認識するとともに、縫製動作スイッチ１１から縫製開始の指示が入力されたことを認識して、報知ランプ１３を赤色に点灯させるとともに（ＳＴ３５）、報知ブザー１５を１秒間鳴らす（ＳＴ３６）。そして、制御手段１８は、スライドボリューム９から操作部９ａの位置に対応する抵抗値を入力し、主軸モータ７の駆動を開始して、スライドボリューム９から入力した抵抗値に対応する駆動速度によって縫製の制御を行う（ＳＴ３７）。
【００５８】
この縫製動作中に、制御手段１８は、縫製動作スイッチ１１の１段目が押圧操作されたか否かを判別し（ＳＴ３８）、押圧操作されていないと判断した場合には（ＳＴ３８においてＮｏ）、継続してスライドボリューム９から操作部９ａの位置に対応する抵抗値を入力し、入力した抵抗値に対応する駆動速度によって縫製動作の制御を行う（ＳＴ３７）。一方、この縫製動作中に、制御手段１８は、縫製動作スイッチ１１の１段目が押圧操作されたと判断した場合には（ＳＴ３８においてＹｅｓ）、すぐに縫製動作の制御を停止し、報知ランプ１３を緑色に点灯させてミシン１が縫製動作の待機状態であることを表示する（ＳＴ２１）。
【００５９】
一方、制御手段１８は、縫製動作スイッチ１１の２段目の押圧操作されず１段目の押圧操作が終了したと判断した場合には（ＳＴ３４においてＮｏ）、再度、縫製動作スイッチ１１の１段目が押圧操作されたか否かを判別する（ＳＴ２２）。
【００６０】
第２の実施形態によっても、縫製するにあたり、縫製モードを通常モードの他、初心者モードに切り替えることが可能である。そして、初心者モードによって縫製する場合には、縫製の最高速度がスライドボリューム９によって駆動可能な速度範囲内における最高速度よりも遅い速度である制限最高速度により縫製動作の制御を行うので、操作者がミシン１の操作に熟練していない初心者の場合に、意図せずスライドボリューム９において速い速度を設定してしまった場合であっても、制限最高速度以下の速度で縫製を行うことができる。
【００６１】
したがって、縫製モードを初心者モードに設定することにより、初心者であっても、容易に操作することができ、意図せずスライドボリューム９において速い速度を設定してしまった場合における縫製の失敗を確実に防止することが可能となる。これにより、本実施形態に係るミシン１によれば、初心者であっても、容易に操作することができ縫製の失敗を防止することができるとともに、ミシン１の操作に慣れている操作者にとっても円滑に操作することができる。
【００６２】
また、制御手段１８は、縫製モードが初心者モードの場合には、縫製動作スイッチ１１の１段目の押圧操作が開始されてから０．２秒以上、縫製動作スイッチ１１の押圧操作が継続されると、初心者モードに切り替えられたと認識するとともに縫製動作スイッチ１１から縫製開始の指示を入力したことを認識し、報知ランプ１３および報知ブザー１５により縫製動作が開始されることを報知する。ここで、無意識に縫製動作スイッチ１１等のスイッチを操作してしまう場合の操作時間は、約０．０５秒〜０．１秒であるのに対し、意識的に縫製動作スイッチ１１等のスイッチを操作した場合の操作時間は約０．２秒〜０．３秒であることがわかっている。このため、制御手段１８は、０．２秒以上縫製動作スイッチ１１の１段目の押圧操作が継続された後、縫製動作を開始することにより、誤って縫製動作スイッチ１１を押圧してしまった場合に意図しないものを縫製してしまうことを防止することができる。また、ミシン１の操作に慣れた操作者の場合には、縫製モードを通常モードに切り替えて縫製を行うことにより、前記押圧時間がない円滑な縫製を行うことができる。
【００６３】
さらに、制御手段１８は、縫製モードが通常モードの場合には、縫製動作スイッチ１１から縫製開始の指示を入力したことを認識すると、縫製動作の制御を開始し、縫製モードが初心者モードの場合には、縫製開始の指示を入力するための縫製動作スイッチ１１の１段目の押圧操作が終了してから待機時間として２秒経過した後、主軸モータ７の駆動を開始して縫製動作の制御を行う。このため、初心者であっても、押圧操作を終了して縫製動作スイッチ１１から手を離して待機時間の間に縫製物を手で押さえることができるので、確実に縫製物が手で押さえられてから縫製動作を開始することができる。また、間違えて縫製動作を開始させてしまった場合であっても待機時間中に縫い針３の近傍から手を退避させることにより、誤って手を縫ってしまう事故を低減させることができる。さらに、ミシン１の操作に慣れた操作者の場合には、縫製モードを通常モードに切り替えて縫製を行うことにより、前記待機時間がない円滑な縫製を行うことができる。
【００６４】
なお、本発明は前記実施形態に限定されるものではなく、必要に応じて種々変更することが可能である。
【００６５】
例えば、前記各実施形態においては、ミシン主軸６を駆動する主軸モータ７の駆動速度を調整する速度調整手段としてスライドボリューム９を用いているが、本発明はこれに限定されるものではなく、種々の速度調整手段を用いることが可能である。
【図面の簡単な説明】
【００６６】
【図１】本発明に係るミシンの一実施形態を示す概略正面図
【図２】図１のミシンの構成を示すブロック図
【図３】図１のミシンの縫製モードにおける縫製速度とスライドボリューム速度との関係を示すグラフ
【図４】図１のミシンにおける通常モードにおいて縫製動作スイッチを操作した場合を示すタイミングチャート
【図５】図１のミシンにおける初心者モードにおいて縫製動作スイッチを操作した場合を示すタイミングチャート
【図６】図１のミシンにおいて縫製動作スイッチを操作した場合の工程を示すフローチャート
【図７】本発明に係るミシンの他の実施形態における初心者モードにおいて縫製動作スイッチを操作した場合を示すタイミングチャート
【図８】図７のミシンにおける通常モードにおいて縫製動作スイッチを操作した場合を示すタイミングチャート
【図９】図７のミシンにおいて縫製動作スイッチを操作した場合の工程を示すフローチャート
【図１０】従来のミシンの一例における縫製動作スイッチを操作した場合を示すタイミングチャート
【符号の説明】
【００６７】
１  ミシン
２  アーム部
３  縫い針
５  針棒
６  ミシン主軸
７  主軸モータ
９  スライドボリューム
９ａ  操作部
１１  縫製動作スイッチ
１３  報知ランプ
１５  報知ブザー
１５ａ  スピーカ
１６  起動スイッチ
１８  制御手段  
１９  入出力インターフェース
２０  ＣＰＵ
２１  メモリ
２２  ＲＯＭ
２３  ＲＡＭ
２５  切替スイッチ
【図１】
2009142379.tif 000003
【図２】
2009142379.tif 000004
【図３】
2009142379.tif 000005
【図４】
2009142379.tif 000006
【図５】
2009142379.tif 000007
【図６】
2009142379.tif 000008
【図７】
2009142379.tif 000009
【図８】
2009142379.tif 000010
【図９】
2009142379.tif 000011
【図１０】
2009142379.tif 000012